(57)【要約】【課題】  カメラや監視モニタの装置数の増加に関わらず、複数の監視モニタで映像切り替えが行われた場合にも、すべての監視モニタで遅延なく表示を切り換えることが可能な映像監視システムを提供することを目的とする。【解決手段】  映像表示部２ａ〜２ｃと映像撮影部４ａ〜４ｄに、それぞれ固有表示ＩＤあるいは固有撮影ＩＤを持たせておく。中央制御装置８から設定パケットによって、映像撮影部と映像表示部の対応を送信すると、映像撮影部４ａ〜４ｄは、その撮影した映像が表示される映像表示部の表示ＩＤを記録する。映像撮影部４ａ〜４ｄで撮影した映像には、その映像を表示する表示ＩＤを添付して送るので、映像表示部は表示ＩＤを比較して、固有表示ＩＤと等しい表示ＩＤの添付された映像のみを表示する。【選択図】  図１
2007043623.tif 000002
【特許請求の範囲】
【請求項１】
ネットワークから受信した設定パケット内の撮影ＩＤを保持する更新撮影ＩＤ保持手段と、
ネットワークから受信した映像パケット内に前記更新撮影ＩＤ保持部の保持する撮影ＩＤが含まれていたとき、前記映像パケット内の映像データを取得する映像取得部と、
前記映像データを表示するモニタとによって構成される映像監視システム。
【請求項２】
撮影ＩＤを保持する固有撮像部ＩＤ保持部と、
映像を撮影する撮影部と、
前記撮影部によって撮影した映像に、前記固有撮像部ＩＤ保持部の保持する表示ＩＤを付加した映像パケットを前記ネットワークに送る映像送信部とによって構成される請求項１記載の映像監視システム。
【請求項３】
前記ネットワークに、撮影ＩＤによって構成される設定パケットを送信するパケット送信部を有する請求項１あるいは請求項２記載の映像監視システム。
【請求項４】
表示ＩＤを保持する固有撮像部ＩＤ保持部と、
ネットワークから受信した設定パケット内に前記固有表示ＩＤ保持部の保持する表示ＩＤが含まれていたとき、前記設定パケット内の撮影ＩＤを保持する更新撮影ＩＤ保持手段と、
ネットワークから受信した映像パケット内に前記更新撮影ＩＤ保持部の保持する撮影ＩＤが含まれていたとき、前記映像パケット内の映像データを取得する映像取得部と、
前記映像データを表示するモニタとによって構成される映像監視システム。
【請求項５】
撮影ＩＤを保持する固有撮影ＩＤ保持部と、
ネットワークから受信した設定パケット内に前記固有撮影ＩＤ保持部の保持する撮影ＩＤが含まれていたとき、前記設定パケット内の表示ＩＤを保持する更新表示ＩＤ保持手段と、
映像を撮影する撮影部と、
前記撮影部によって撮影した映像に、前記更新表示ＩＤ保持手段に保持された表示ＩＤを付加した映像パケットを前記ネットワークに送る映像送信部とによって構成される請求項４記載の映像監視システム。
【請求項６】
前記ネットワークに、表示ＩＤと撮影ＩＤとによって構成される設定パケットを送信するパケット送信部を有する請求項４あるいは請求項５記載の映像監視システム。
【発明の詳細な説明】
【技術分野】
【０００１】
本発明は、映像監視システムに関し、複数の遠隔地からの映像を複数のモニタに表示する映像監視システムに係るものである。
【背景技術】
【０００２】
従来から遠隔地の映像を一括監視する映像監視システムが存在する。例えば、遠隔地のカメラ映像をデジタル圧縮し、監視室に伝送し一括監視するＩＴＶ監視システムでは、被監視地点の装置（映像撮影部）と監視主体の装置（中央制御装置）とが通信回線を介して接続され、中央制御装置に接続された制御端末からの指示により、モニタに表示する監視カメラの映像を一方から他方へ自由に切り替えることができる。
【０００３】
図１４は従来の映像監視システムの例を示す図である。図１４  に示すように、映像監視システム１２０は、通信回線に接続されるすべての装置を含む回線全体の制御を行う中央制御装置１２１を備える。中央制御装置１２１は符号化された映像ストリームの復号を行う出力装置１２２と接続されている。出力装置１２２には監視映像を表示するためのモニタ１２３が接続されている。一方、中央制御装置１２１はシステム全体の制御を行う制御端末１２４と接続され、映像切り替え指示コマンドを送信することによってモニタに表示する監視カメラの映像を任意のタイミングで切り替えるなどの機能を実現している。遠方制御装置１２６，１２９は、通信回線１２５を介して中央制御装置１２１に接続されており、それぞれ入力装置１２７，１３０と接続されると共に、カメラ１２８，１３１が接続される。カメラ１２８，１３１による映像は入力装置１２７，１３０によって符号化され、遠方制御装置１２６，１２９によって伝送用にパケット化され通信回線１２５上に送出される。中央制御装置１２１は通信回線１２５からパケット化された映像データを抜き出して出力装置１２２に送出する。出力装置１２２は上記映像ストリームをリアルタイムに復号化しモニタ１２３に出力する。中央制御装置１２１が制御端末１２４から映像切り替え指示コマンドを受信した場合、中央制御装置１２１は関連する出力装置および遠方制御装置のみに、映像切り替え指示コマンド、映像解除指示コマンド、映像接続指示コマンドを送信する。例えば、モニタ１２３にカメラ１２８による映像が表示されている最中に、表示されている映像をカメラ１３１による映像に切り替える動作は、制御端末１２４が中央制御装置１２１に対して送信する映像切り替え指示コマンドによって行なわれる。
【０００４】
映像切り替え指示を受信した中央制御装置１２１は、それまで受信していたカメラ１２８による映像が組み込まれた映像パケットの受信を停止したり、出力装置１２２のデコードバッファをクリアする等の動作を行ない、新たな映像パケットを受信可能なよう準備を行う。また、中央制御装置１２１は遠方制御装置１２６に対してカメラ１２８の映像の符号化を停止するよう映像解除指示を送信し、遠方制御装置１２９に対してはカメラ１３１の映像の符号化を開始するよう映像開始指示を送信する。符号化停止の指示を受信した遠方制御装置１２６は入力装置１２７の符号化を停止し、符号化開始の指示を受信した遠方制御装置１２９は入力装置１３０の符号化を開始させる。中央制御装置１２１はネットワーク１２５から遠方制御装置１２９からの映像パケットを抜き出し出力装置１２２に送出する。そして、出力装置１２２で映像パケット内の映像データの復号化を行なうことで、モニタ１２３上に新たにカメラ１３１の映像が表示される。
【０００５】
このように従来の映像監視システムは、被監視地点の中央制御装置と監視主体の遠方制御装置とが通信回線を介して接続され、中央制御装置に接続された制御端末からの指示により、モニタに表示する監視カメラの映像を一方から他方へ自由に切り替えることができる。
【０００６】
また、特許文献１には、被監視地点の遠方制御装置と監視主体の中央制御装置とが通信回線を介して接続された映像監視システムが記載されている。この文献に記載された方法では、映像の送信元を一方から他方へ切り替える際の遅延時間を省いて効率のよい映像転送を行うことができる。
【特許文献１】特開２０００−３１６１４５号公報
【発明の開示】
【発明が解決しようとする課題】
【０００７】
しかしながら上述した映像監視システムは、装置数やカメラ、監視モニタ数が増加するにつれて、中央制御装置からの状態定期監視や監視モニタ映像切り替えなどの指示コマンド数が増加し、装置間で送受信されるコマンドの数であるコマンドトラフィックが飛躍的に増加してしまうという問題が存在していた。このため、複数の監視モニタの表示を一定周期に他のカメラへシーケンシャルに切り替える場合、中央制御装置のコマンド処理待ち時間が発生し、監視モニタの映像が同時に切り替わらないという問題が発生していた。
【０００８】
本発明は、従来の問題を解決するためになされたもので、カメラや監視モニタの装置数の増加に関わらず、複数の監視モニタで映像切り替えが行われた場合にも、すべての監視モニタで遅延なく表示を切り換えることが可能な映像監視システムを提供することを目的とする。
【課題を解決するための手段】
【０００９】
本発明の映像監視システムは、映像表示部を識別する為の表示ＩＤを保持する固有表示ＩＤ保持部と、ネットワークから受信した映像パケット内に前記固有表示ＩＤ保持部の保持する表示ＩＤが含まれていたとき、前記映像パケット内の映像データを取得する映像取得部と、前記映像データを表示するモニタとを有している。
【００１０】
この構成により、固有表示ＩＤ保持部の保持する表示ＩＤと同じ表示ＩＤを持つ映像パケットを受け取ってモニタに表示することができる。
【００１１】
また、本発明の映像監視システムは、映像撮影部を識別するための撮影ＩＤを保持する固有撮像ＩＤ保持部と、前記ネットワークから受信した、撮影ＩＤと表示ＩＤの対によって構成される設定パケットに、前記固有撮像ＩＤ保持部の保持する撮影ＩＤが含まれていたとき、前記設定パケット内の前記撮影ＩＤと対になっている表示ＩＤを保持する更新表示ＩＤ保持部と、監視のための映像を撮影する撮影部と、前記撮影部によって撮影した映像に、前記更新表示ＩＤ保持部の保持する表示ＩＤを付加した映像パケットを前記ネットワークに送る映像送信部とを有している。
【００１２】
この構成により、設定パケットによって更新表示ＩＤ保持部の保持する表示ＩＤを更新し、映像パケットにこの表示ＩＤを付加してネットワークに送ることができる。
【００１３】
さらに、本発明の映像監視システムは、前記ネットワークに、撮影ＩＤと表示ＩＤの対によって構成される前記設定パケットを送信するパケット送信部を有している。
【００１４】
この構成により、ネットワーク設定パケットを送ることができる。
【００１５】
さらに、本発明の映像監視システムは、映像撮影部を識別する為の撮影ＩＤを保持する固有撮影ＩＤ保持部と、監視のための映像を撮影する撮影部と、前記撮影部によって撮影した映像に、前記固有撮影ＩＤ保持部の保持する撮影ＩＤを付加した映像パケットをネットワークに送る映像送信部とを有している。
【００１６】
この構成により、ネットワーク固有撮影ＩＤ保持部の保持する撮影ＩＤを付加した映像パケットを送ることができる。
【００１７】
さらに、本発明の映像監視システムは、映像表示部を識別するための表示ＩＤを保持する固有表示ＩＤ保持部と、前記ネットワークから受信した、撮影ＩＤと表示ＩＤの対によって構成される設定パケットに、前記固有固有ＩＤ保持部の保持する表示ＩＤが含まれていたとき、前記設定パケット内の前記表示ＩＤと対になっている撮影ＩＤを保持する更新撮影ＩＤ保持部と、監視のための映像を撮影する撮影部と、前記ネットワークから受信した映像パケット内に前記更新撮影ＩＤ保持部の保持する更新ＩＤが含まれていたとき、前記映像パケット内の映像データを取得する映像取得部と、前記映像データを表示するモニタとを有している。
【００１８】
この構成により、ネットワークから受け取った設定パケットによって、更新撮影ＩＤ保持部の保持する撮影ＩＤを更新し、この撮影ＩＤが付加された映像パケットを受け取って表示することができる。
【００１９】
さらに、本発明の映像監視システムは、前記ネットワークに、撮影ＩＤと表示ＩＤの対によって構成される前記設定パケットを送信するパケット送信部を有している。
【００２０】
この構成により、ネットワークに設定パケットを送ることができる。
【発明の効果】
【００２１】
本発明は、複数の映像撮影部からの映像を複数の映像表示部に表示する際、映像表示部と映像撮影部の関係を変えたとき、同時に表示を切り替えることのできる映像監視システムを提供することができるものである。
【発明を実施するための最良の形態】
【００２２】
（実施の形態１）
以下、本発明の実施の形態１における映像監視システムについて、図面を用いて説明する。
【００２３】
図１は、本発明の実施の形態１における映像監視システムの構成を示すブロック図である。
【００２４】
映像監視システム１は、映像を受信し表示する映像表示部２ａ〜２ｃ、モニタＡ３ａ〜モニタ３ｃ、映像を送信する映像撮影部４ａ〜４ｄ、カメラからの映像データを入力する入力装置５ａ〜５ｄ、カメラ６ａ〜６ｄ、ネットワーク７、中央制御装置８、制御端末９によって構成される。それぞれ、映像表示部２ａ〜２ｃ、映像撮影部４ａ〜４ｄの内部は同じである。
【００２５】
図２は、映像表示部２ａの内部を示すブロック図であり、映像表示部３ａを識別する固有表示ＩＤを保持する固有表示ＩＤ保持部２１、映像取得部２２、ネットワークＩ／Ｆ２３によって構成されている。
【００２６】
図３は、中央制御装置の内部を示すブロック図であり、ネットワークＩ／Ｆ８１、パケット送信部８２、パケット保持部８３、データ設定部８４によって構成されている。
【００２７】
図４は、映像撮影部４ａの内部を示すブロック図であり、固有撮影ＩＤ保持部４１、表示ＩＤ取得部４２、更新表示ＩＤ保持部４３、映像送信部４４、ネットワークＩ／Ｆ４５
によって構成されている。
【００２８】
以上のように構成された映像監視システムの動作について、図１〜図６を用いて説明する。
【００２９】
図４で、映像撮影部４ａは、カメラＰ６ａと接続されており、固有撮影ＩＤ保持部４１には、固有撮影ＩＤとしてカメラＰ６ａに対応して、「Ｐ」が保持されている。同様に、映像撮影部４ｂの固有撮影ＩＤ保持部４１には「Ｑ」が、映像撮影部４ｃの固有撮影ＩＤ保持部４１には「Ｒ」が、映像撮影部４ｄの固有撮影ＩＤ保持部４１には「Ｓ」が、保持されている。
【００３０】
一方、図２で、映像表示部２ａはモニタＡ３ａと接続されており、固有表示ＩＤ保持部２１には、モニタＡ３ａに対応して「Ａ」が、映像表示部２ｂの固有表示ＩＤ保持部２１には、モニタＢ３ｂに対応して「Ｂ」が、映像表示部２ｃの固有表示ＩＤ保持部２１には、モニタＣ３ｃに対応して「Ｃ」が、セットされている。
【００３１】
制御端末９から、例えばカメラＰ６ａの映像をモニタＡ３ａに、カメラＱ６ｂの映像をモニタＢ３ｂに表示する指示が入力されると、データ設定部８４は、図５に示す設定パケット５１を作成する。設定パケット５１は、モニタＡ３ａにはカメラＰ６ａの映像を表示し、モニタＢ３ｂにはカメラＱ６ｂの映像を表示することを示している。
【００３２】
データ設定部８４で作成された設定パケット５１は、パケット保持部８３に保持され、パケット送信部８２によって、ネットワークＩ／Ｆ８１を経由してネットワーク７に定期的に送信される。
【００３３】
映像撮影部４ａでは、この設定パケット５１を受け取ると、表示部ＩＤ取得部４２が、設定パケット５１の撮像ＩＤ（「Ｐ」または「Ｑ」）と、固有撮像ＩＤ保持部４１に保持された撮像ＩＤ（「Ｐ」）を比較する。そして、固有撮影ＩＤ保持部に保持された撮影ＩＤ（「Ｐ」）と等しいものが、設定パケットにある場合、その撮影ＩＤと対になっている表示ＩＤ（「Ａ」）を、更新表示ＩＤ保持部４３にセットする。
【００３４】
そして、映像送信部４４は、更新表示ＩＤ保持部４３に保持された表示ＩＤと、入力装置５ａを通して入力されたカメラ６ａの映像データによって構成される映像パケット５２を作成し、ネットワークＩ／Ｆ４５を経由して、ネットワーク７への送信を開始する。
【００３５】
同様にして、映像撮影部４ｂからは、映像パケット５３が、ネットワーク７に対して送信される。
【００３６】
映像表示部２ａの映像取得部２２が、ネットワークＩ／Ｆ２３を経由してこの映像パケット受け取ると、映像パケット５２または５３の先頭に付加されている撮影ＩＤと、固有表示ＩＤ保持部２１に保持されている表示ＩＤを比較して、同じであれば、映像パケット５２または５３に含まれている映像データをモニタＡ３ａに送る。この結果、モニタＡ３ａには、カメラＰ６ａの映像が表示される。
【００３７】
すなわち、映像表示部２ａの固有表示ＩＤ保持部２１には、「Ａ」が保持されているので、表示ＩＤとして「Ａ」が付加されている映像パケット５２の映像データをモニタＡ３ａに表示する。
【００３８】
同様にして、映像表示部３ｂでは、映像パケット５３の映像データをモニタＢ３ｂに表示する。
【００３９】
次に、カメラＰ６ａによる映像がモニタＡ３ａに表示されている最中に、制御端末９によってモニタＡ３ａに表示する映像をカメラＲ６ｃによる映像に切り替え、モニタ３ｂによる表示を取りやめ、モニタＣ３ｃに表示する映像をカメラＳ６ｄによる映像に切り替える指示が入力された場合について述べる。
【００４０】
制御端末９より映像切り替え指示を受信したデータ設定部８４は、新たにモニタＡ３ａとカメラＲ６ｃとを関係付け、モニタＢ３ｂとカメラＲ６ｄとを関係付ける設定パケット５４を作成し、パケット保持部８３に保持する。そしてパケット送信部８２は、この設定パケット５４を、ネットワークＩ／Ｆ８１を通して、定期的にネットワーク７に送信する。
【００４１】
映像撮影部４ａは、この設定パケット５４を受け取ると、表示ＩＤ取得部４２が、設定パケット５４内の撮影ＩＤ（「Ｒ」または「Ｓ」）と、固有撮影ＩＤ保持部４１の保持する撮影ＩＤ（「Ｐ」）とを比較するが、設定パケット５４内に、固有撮影ＩＤ保持部の保持する撮影ＩＤである「Ｐ」でないため、映像送信手段３５による映像の送信を中止する。
【００４２】
同様に、映像送信部４ｂも映像の送信を中止する。
【００４３】
一方、映像撮影部４ｃでは、固有撮影ＩＤ保持部４１に保持された撮影ＩＤ（「Ｒ」）と同じ撮影ＩＤが、設定パケット５４内にあるので、映像撮影部４ｃ内の表示部ＩＤ取得部４２が、設定パケット５４の対応する表示ＩＤ「Ｂ」を更新表示ＩＤ保持部４３に保持する。
【００４４】
さらに、映像送信部４４は、更新表示ＩＤ保持部４３に保持された表示ＩＤを付加した映像データによって構成される映像パケット５５を作成し、ネットワーク７に送信する。
【００４５】
同様にして、映像撮影部４ｄからは、映像パケット５６がネットワーク７に対して送信される。
【００４６】
映像表示部２ａでは、固有表示ＩＤ保持部２１に保持している表示ＩＤ（「Ａ」）が付加された映像パケットが送られてこないので、何も表示されない。
【００４７】
また、映像表示部２ｂは、固有表示ＩＤ保持部２１に「Ｂ」を保持しているので、同じ表示ＩＤが付加された映像パケット５５を受け取って、その映像データをモニタＢ３ｂに表示する。
【００４８】
また、映像表示部２ｃも同様にして、映像パケット５６を受け取って、その映像データをモニタＣ３ｃに表示する。
【００４９】
次に、図６のフロー図を用いて、映像撮影部の動作についてさらに詳しく説明する。
【００５０】
図６に示すように、映像撮影部４ａは設定パケットを受け取ると（ステップＳ６１）、固有撮影ＩＤ保持部４１の撮影ＩＤと設定パケットの撮影ＩＤを比較する。
【００５１】
等しくないとき（ステップＳ６２、ＮＯ）、設定パケットの受信を続ける。
【００５２】
等しいとき（ステップＳ６２、ＹＥＳ）、更新表示ＩＤ保持部４３の保持する表示ＩＤを更新し（ステップＳ６３）、映像パケットを送信する（ステップＳ６４）。
【００５３】
映像パケットを受信しない間（ステップＳ６５、ＮＯ）、映像パケットの送信を続ける。
【００５４】
図７は、映像表示部２ａの動作を示している。
【００５５】
映像パケットを受け取ったら（ステップＳ７１）、固有表示ＩＤ保持部２１の保持する表示ＩＤと、映像パケットの表示ＩＤを比較し、等しければ（ステップＳ７２、ＹＥＳ）、映像を表示する（ステップＳ７３）。
【００５６】
等しくなければ（ステップＳ７２、ＮＯ）、再び映像パケットの受信を待つ。
【００５７】
図８は、実施の形態１の動作の流れを示している。
【００５８】
制御端末９から、表示開始指示がなされると、設定パケット５１が送信され、これに応じて、映像撮影部４ａおよび４ｂから映像パケットが送信される。
【００５９】
映像切り替え指示がなされると、設定パケット５４が送られ、映像パケット５５および５６が送信される。
【００６０】
以上の構成により、本発明の実施の形態１によれば、設定パケットを送ることにより、モニタ３ａ〜３ｃに表示する映像の切り替えを一度に実行できるので、常に一定のコマンドトラフィックを保つことができる。また、モニタ３ａに表示するカメラの映像の切り替え作業をスムーズに行うことができる。
（本発明の第２の実施の形態）
次に、本発明の実施の形態２に係る映像監視システムについて説明する。実施の形態１と同じ構成については符号を同一にして説明を省略する。
【００６１】
実施の形態２のシステム構成を、図９に示す。実施の形態１と比較して、映像表示部９２ａ〜９２ｃと、映像撮影部９４ａ〜９４ｄが異なっている。
【００６２】
実施の形態２では、図１２に示すように、映像パケット９２、９３、９５、９６に撮影ＩＤ（「Ｐ」など）を付加する点が、実施の形態１と異なっている。設定パケット９１または９４は実施の形態１と同じである。
【００６３】
このため、図１０に示す映像表示部９２ａでは、固有表示ＩＤ２１の他に、撮影部ＩＤ取得部７１、更新撮影ＩＤ保持部７３、映像取得部７４、ネットワークＩ／Ｆ７２を有している。
【００６４】
映像表示部９２ａでは、設定パケット９１あるいは９４を受け取ると、固有表示ＩＤ保持部の保持する表示ＩＤと等しい表示ＩＤが、設定パケット９１あるいは９４の中にあると、それと対になっている撮影ＩＤを、更新撮影ＩＤ保持部７３に保持する。
【００６５】
そして、映像パケット９２，９３、９５、９６に付加されている撮影ＩＤが、更新撮影ＩＤ保持部７３に保持されている撮影ＩＤと等しいとき、映像取得部７４は、その映像データを取得してモニタＡ３ａに表示する。
【００６６】
一方、映像撮影部９４ａは、設定パケットの９１あるいは９４の中に、固有撮影ＩＤ保持部４１の保持する撮影ＩＤと同じ撮影ＩＤがあったとき、その撮影ＩＤを付加した映像パケット９２を作成して、ネットワークＩ／Ｆ８２を経由して、ネットワーク７に送信す
る。
【００６７】
以上の構成により、本発明の実施の形態２によれば、映像パケットに撮影ＩＤを付加することによっても、実施の形態１と同様に、設定パケットを送ることにより、モニタ３ａ〜３ｃに表示する映像の切り替えを一度に実行できるので、常に一定のコマンドトラフィックを保つことができる。また、モニタ３ａに表示するカメラの映像の切り替え作業をスムーズに行うことができる。
（本発明の第３の実施の形態）
図１３は、本発明の第３の実施の形態に用いられるパケットを示しており、問い合わせパケット１０１と、これに対する応答パケットとして１０２および１０３がある。
【００６８】
第３の実施の形態におけるブロック構成図は、図１および図９に示した、第２の実施の形態におけるブロック構成図とまったく同じである。
【００６９】
中央制御装置８では、ネットワーク７にどのような出力装置や遠方制御装置がつながれているのかを、知る必要が発生する。
【００７０】
そのとき、中央制御装置８は、問い合わせパケット１０１をネットワーク７に対してブロードキャストする。この問い合わせに対して、例えば映像表示部４ａであれば、自身が接続されているモニタのアドレス「Ａ」と、自身が表示すべきカメラのアドレス「Ｐ」をヘッダ「ＡＮＳ」につなげて、応答パケット１０２として返す。
【００７１】
映像撮影部の場合も、同様に、例えば映像撮影部４ａであれば、応答パケット１０３を返す。
【００７２】
このとき、各出力装置および入力装置毎に、問い合わせパケットを受け取ってから王とパケットを返すまでの時間をことなるようにしておけば、一度に分散型中央制御装置に、応答パケットが集中することを避けることが出来、分散型中央制御装置に対する負荷を分散させることが出来る。
【００７３】
以上の構成により、本発明の実施の形態３によれば、問い合わせパケットを送ることにより、撮影部および表示部の状態を分散型中央制御装置が知ることができる。
【産業上の利用可能性】
【００７４】
本発明に係る映像監視システムは、設定パケットを送信することにより、映像データを送信する遠方制御装置と、この映像データを受け取ってモニタに表示する出力装置の組合せを同時に変えることが出来、複数のモニタに表示する映像を同時に代えることが出来るという効果を有し、複数のカメラの映像を切り換えながらモニタに表示する映像監視システムなどの用途に有用である。
【図面の簡単な説明】
【００７５】
【図１】本発明の実施の形態１の映像監視システムのブロック図
【図２】本発明の実施の形態１の映像監視システムの映像表示部のブロック図
【図３】本発明の実施の形態１の映像監視システムの中央制御装置のブロック図
【図４】本発明の実施の形態１の映像監視システムの映像撮影部のブロック図
【図５】本発明の実施の形態１の映像監視システムの設定パケットおよび映像パケットの例を示す説明図
【図６】本発明の実施の形態１の映像監視システムの映像撮影部の動作を示すフロー図
【図７】本発明の実施の形態１の映像監視システムの映像表示部の動作を示すフロー図
【図８】本発明の実施の形態１の映像監視システムの状態の遷移を示す状態遷移図
【図９】本発明の実施の形態２の映像監視システムのブロック図
【図１０】本発明の実施の形態２の映像監視システムの映像表示部を示すブロック図
【図１１】本発明の実施の形態２の映像監視システムの映像撮影部を示すブロック図
【図１２】本発明の実施の形態２の映像監視システムの設定パケットおよび映像パケットの例を示す図
【図１３】OLE_LINK1本発明の実施の形態３の映像監視システムのOLE_LINK1問い合わせパケットと応答パケットを示す説明図
【図１４】従来の映像監視システムのブロック構成図
【符号の説明】
【００７６】
１  映像監視システム
２ａ、２ｂ、２ｃ  映像表示部
３ａ  モニタＡ
３ｂ  モニタＢ
３ｃ  モニタＣ
４ａ、４ｂ、４ｃ、４ｄ  映像撮影部
５ａ、５ｂ、５ｃ、５ｄ  入力装置
６ａ  カメラＰ
６ｂ  カメラＱ
６ｃ  カメラＲ
６ｄ  カメラＳ
７  ネットワーク
８  中央制御装置
９  制御端末
２１  固有表示ＩＤ保持部
２２  映像取得部
２３  ネットワークＩ／Ｆ
４１  固有表示ＩＤ保持部
４２  表示ＩＤ取得部
４３  更新表示ＩＤ保持部
４４  映像送信部
４５  ネットワークＩ／Ｆ
【図１】
2007043623.tif 000003
【図２】
2007043623.tif 000004
【図３】
2007043623.tif 000005
【図４】
2007043623.tif 000006
【図５】
2007043623.tif 000007
【図６】
2007043623.tif 000008
【図７】
2007043623.tif 000009
【図８】
2007043623.tif 000010
【図９】
2007043623.tif 000011
【図１０】
2007043623.tif 000012
【図１１】
2007043623.tif 000013
【図１２】
2007043623.tif 000014
【図１３】
2007043623.tif 000015
【図１４】
2007043623.tif 000016